(57)【要約】【課題】液体に含まれる気泡に影響されずに液体の濁度を正確に測定することが可能な濁度測定装置を提供する。【解決手段】導出管１５２は、出口１４２を介してセル１００に接続され、出口１４２からセル１００の外部に流出した液体が流通する導出路１５４を形成する。細管１５５は気体流路１５６を形成する。気体流路１５６は、導出路１５４の流路断面積よりも小さい流路断面積を有し且つ導出路１５４と接続空間１３４とを接続する。発光部は、セル１００の内部のうち流路空間１３２と接続空間１３５と流路空間１３３とのいずれかに向かって光を照射する。受光部は、発光部が発した光を受光する。【選択図】図４
2012132750.tif 000002
【特許請求の範囲】
【請求項１】
液体を流入させる入口と、前記入口から流入した液体を流出させる出口と、が形成されたセルを備え、
前記セルは、第１の流路空間と、第２の流路空間と、第３の流路空間と、前記第１の流路空間と前記第２の流路空間とを接続する第１の接続空間と、前記第２の流路空間と前記第３の流路空間とを接続する第２の接続空間と、を有し、
前記入口と前記出口と前記第１の流路空間と前記第２の流路空間と前記第３の流路空間と前記第１の接続空間と前記第２の接続空間とは、前記入口、前記第１の流路空間、前記第１の接続空間、前記第２の流路空間、前記第２の接続空間、前記第３の流路空間、および、前記出口の順に、液体が流れるように配置され、
前記第１の接続空間は、前記セルの上下方向に関して前記セルの内部の上端部に配置され、さらに、
前記出口を介して前記セルに接続され、前記出口から前記セルの外部に流出した液体が流通する導出路と、
前記導出路の流路断面積よりも小さい流路断面積を有し且つ前記導出路と前記第１の接続空間とを接続する接続流路と、
前記セルの内部のうち前記第２の流路空間と前記第２の接続空間と前記第３の流路空間とのいずれかに向かって光を照射する発光部と、
前記発光部が発した光を受光する受光部と、を備えた、
濁度測定装置。
【請求項２】
前記入口を介して前記セルに接続され、前記入口から前記第１の流路空間に向かう方向に液体を流通させる導入路をさらに備え、
前記発光部は、照射される光が前記導入路または前記導出路に入射しないように配置され、前記セルの内部のうち前記第２の流路空間に向かって光を照射する、
請求項１に記載の濁度測定装置。
【発明の詳細な説明】
【技術分野】
【０００１】
この発明は、濁度測定装置に関する。
【背景技術】
【０００２】
光を照射する発光部と、発光部が発した光を受光する受光部とを備え、発光した光量に対して受光した光量を検出することによって液体の濁度を測定する装置が知られている。このような装置において特に濁度が小さい場合は、測定系内としての光路に気泡が進入した際に、濁質粒子と気泡とが同様に扱われてしまうことがある。このような場合には、液体の濁度を正確に測定することが困難である。
【０００３】
このような濁度測定装置に対して、特開２００９−３１０１８号公報（以下では特許文献１という）に係る濁度測定装置、特開２００８−２３２７９０号公報（以下では特許文献２という）に係る水質測定装置、または特開２００５−３３４６８２号公報（以下では特許文献３という）に係る液中パーティクルカウンターの気泡除去装置が従来から知られている。
【０００４】
特許文献１に係る濁度測定装置は、ガスに起因して液体中に発生する気泡よりも小さな径を有する光を液体に照射する光源部と、液体を透過した光源部からの光を受光する受光部と、受光部で受光された光量に基づいて液体の濁度を算出する算出部とを備えている。
【０００５】
特許文献１に記載された濁度測定装置では、光が照射される位置に気泡が存在しない場合に、光源部が発光させた光が受光部に受光される。しかし、光が照射される位置に気泡が存在する場合には、光源部が発光させる光が気泡によって反射および散乱されることにより、受光部に光が受光されない。この気泡があることによって受光部に光が届かない場合は、濁質によって生じる減光と比べ、信号強度が大きく減少する。これらのデータを除外することにより、液体の正しい濁度を測定することができる。このように、算出部は、気泡の影響を受けずに受光部に受光された光量に基づき、液体の濁度を算出する。
【０００６】
特許文献２に係る水質測定装置は、液体としての試料水が溜められるセルを備えている。セルは、複数の面で囲まれた領域を有している。また、セルは、試料水が当該領域に流入する流入部を複数の面のうちの床面に有し、試料水が当該領域から流出する流出部を天井面に有している。また、特許文献２に係る水質測定装置は、セルの当該領域に光を発する発光部と、発光部が発する光を受ける受光部とを備えている。流入部は、平面視において、流出部とは異なる位置且つ発光部から受光部までに至る光路の外の位置に配置されている。
【０００７】
流入部からセルの領域に試料水とともに流入した気泡等は、発光部が発する光の光路に進入しないように、その浮力で上昇し、且つ、試料水の流れに乗って流出部から排出される。気泡等は、セルの領域を流れる際には、光路よりも上方を通ることによって光路に進入しない。このように、特許文献２に記載された水質測定装置は、発光部が発する光の光路に、流入部から流出部に向かう気泡等が進入しないように構成されている。
【０００８】
一方、特許文献３に係る気泡除去装置は、所定の容積を有する槽を備えている。槽の内部に貯留された液体に含まれる気泡は、気泡が有する浮力によって液体を上昇する。液体の表面付近に浮遊する気体は、槽の上部に配置されたエア抜き弁により、槽の内部から外部に放出される。また、槽の液体を貯留する箇所には、少なくとも表面が疎水性材料によって形成された構造物が、少なくとも一以上設けられている。
【先行技術文献】
【特許文献】
【０００９】
【特許文献１】特開２００９−３１０１８号公報
【特許文献２】特開２００８−２３２７９０号公報
【特許文献３】特開２００５−３３４６８２号公報
【発明の概要】
【発明が解決しようとする課題】
【００１０】
しかしながら、特許文献１に記載された濁度測定装置においては、光が照射される位置に気泡が進入することが除外されていない。このように、特許文献１に記載された濁度測定装置は、気泡が断続的に発生することが考慮されているとはいえない。
【００１１】
また、特許文献２に記載された水質測定装置では、気泡等が浮力で領域内を上昇している間に試料水の流れに流されてしまう場合には、気泡等が光路へ進入することがある。このような場合には、液体の濁度を正確に測定することができない。
【００１２】
さらに、特許文献３に記載された気泡除去装置は、液体の表面付近に溜められた気体を槽の外部を排出するためのエア抜き弁を備える必要がある。また、特許文献３に記載された気泡除去装置は、このエア抜き弁を適宜開閉するためには、滞留する気体の量を測る必要がある。そのため、特許文献３に記載された気泡除去装置は、このエア抜き弁を適宜開閉するための制御および構造を備える必要がある。これにより、この気泡除去装置の装置構成が非常に煩雑になってしまう。
【００１３】
これらに鑑み、液体の濁度を正確に測定するためには、発光された光が照射される範囲に気泡が進入することを根本的に防ぐ手段が必要である。つまり、発光された光が照射される範囲に気泡が進入することを根本的に防ぐことができ、その結果、液体に含まれる気泡に影響されずに液体の濁度を正確に測定することが可能な濁度測定装置が望まれている。
【００１４】
そこで、この発明の目的は、液体に含まれる気泡に影響されずに液体の濁度を正確に測定することが可能な濁度測定装置を提供することである。
【課題を解決するための手段】
【００１５】
この発明に従った濁度測定装置は、液体を流入させる入口と、入口から流入した液体を流出させる出口とが形成されたセルを備えている。セルは、第１の流路空間と第２の流路空間と第３の流路空間と第１の接続空間と第２の接続空間とを有している。第１の接続空間は、第１の流路空間と第２の流路空間とを接続する。第２の接続空間は、第２の流路空間と第３の流路空間とを接続する。入口と出口と第１の流路空間と第２の流路空間と第３の流路空間と第１の接続空間と第２の接続空間とは、入口、第１の流路空間、第１の接続空間、第２の流路空間、第２の接続空間、第３の流路空間、および、出口の順に、液体が流れるように配置されている。第１の接続空間は、セルの上下方向に関してセルの内部の上端部に配置されている。
【００１６】
さらに、この発明に従った濁度測定装置は、導出路と、接続流路と、発光部と、受光部とを備えている。導出路は、出口を介してセルに接続され、出口からセルの外部に流出した液体が流通する。接続流路は、導出路の流路断面積よりも小さい流路断面積を有し且つ導出路と第１の接続空間とを接続する。発光部は、セルの内部のうち第２の流路空間と第２の接続空間と第３の流路空間とのいずれかに向かって光を照射する。受光部は、発光部が発した光を受光する。
【００１７】
この発明によれば、入口を介してセルの内部に液体が流入する。セルの内部に流入した液体は、第１の流路空間から第２の流路空間を経て第３の流路空間に流れていく。第１の流路空間と第２の流路空間とを接続する第１の接続空間は、セルの上下方向に関してセルの内部の上端部に配置されている。そのため、セルの内部に流入する液体に気泡または気体が含まれている場合は、第１の流路空間から第２の流路空間を経て第３の流路空間に至るまで液体が流れる際に、気泡が有する浮力により、気泡または気体が第１の接続空間に蓄積される。
【００１８】
また、導出路が出口を介してセルに接続されている。導出路は、出口からセルの外部に流出した液体が流通する。導出路と第１の接続空間とは、接続流路によって接続されている。接続流路の流路断面積は、導出路の流路断面積よりも小さい。接続流路と導出路との接続部分では、接続流路と第１の接続空間との接続部分の圧力に対して負圧が発生するため、第１の接続空間に蓄積された気泡または気体は、接続流路を介して導出路に吸い込まれる。このように、入口からセルの内部に流通する液体に含まれる気泡または気体は、第１の接続空間から導出路に流出することにより、セルの内部から排出される。
【００１９】
さらに、この発明によれば、発光部が、セルの内部のうち第２の流路空間と第２の接続空間と第３の流路空間とのいずれかに向かって光を発する。受光部は、発光部が発した光を受光する。つまり、発光部は、気泡が混入された液体が流通する第１の流路空間または気体が蓄積される第１の接続空間には光を発していない。このように、この発明に係る濁度測定装置は、発光部から受光部に向かって進行する光が形成する光路に、液体に含まれる気泡または気体が進入することが無いように構成されている。そのため、この発明によれば、液体に含まれる気泡の影響を受けずに液体の濁度を正確に測定することができる。
【００２０】
この発明に従った濁度測定装置は、導入路をさらに備えていることが好ましい。導入路は、入口を介してセルに接続されていることが好ましい。導入路は、入口から第１の流路空間に向かう方向に液体を流通させるものである。さらに、この発明に従った濁度測定装置では、発光部は、照射される光が導入路または導出路に入射しないように配置され、セルの内部のうち第２の流路空間に向かって光を照射することが好ましい。
【００２１】
この構成によれば、導入路は、導入路と第１の流路空間とが互いに接続されるようにセルに接続されている。また、導出路は、導出路と第３の流路空間とが互いに接続されるようにセルに接続されている。一方、発光部は、セルの内部のうち第２の流路空間に向かって光を照射することが可能なように、セルの近傍に配置される。つまり、発光部は、照射される光が導入路または導出路に入射しないような場所に配置されている。そのため、発光部と導入路と導出路との配置は、特別な光学設計によらずに比較的容易に設計される。これにより、セルの内部に溜められる液体の濁度を比較的容易に測定することができる。したがって、この発明によれば、液体に含まれる気泡の影響を受けずに液体の濁度を正確且つ比較的容易に測定することができる。
【発明の効果】
【００２２】
以上のように、この発明によれば、液体に含まれる気泡に影響されずに液体の濁度を正確に測定することが可能な濁度測定装置を提供することができる。
【図面の簡単な説明】
【００２３】
【図１】第１実施形態に係る濁度測定装置の全体を示す斜視図である。
【図２】第１実施形態に係る濁度測定装置の全体を示す正面図である。
【図３】第１実施形態に係る濁度測定装置の全体を示す側面図である。
【図４】（Ａ）は図３のＩＶ−ＩＶ線の断面図であり、（Ｂ）は（Ａ）の一部拡大図ある。
【図５】第２実施形態に係る濁度測定装置の全体を示す斜視図である。
【図６】第２実施形態に係る濁度測定装置の全体を示す正面図である。
【図７】第２実施形態に係る濁度測定装置の全体を示す側面図である。
【図８】（Ａ）は図７のＶＩＩＩ−ＶＩＩＩ線の断面図であり、（Ｂ）は（Ａ）の一部拡大図ある。
【図９】第３実施形態に係る濁度測定装置の全体を示す斜視図である。
【図１０】第３実施形態に係る濁度測定装置の全体を示す正面図である。
【図１１】第３実施形態に係る濁度測定装置の全体を示す側面図である。
【図１２】（Ａ）は図１１のＸＩＩ−ＸＩＩ線の断面図であり、（Ｂ）は（Ａ）の一部拡大図ある。
【図１３】第４実施形態に係る濁度測定装置の全体を示す斜視図である。
【図１４】第４実施形態に係る濁度測定装置の全体を示す正面図である。
【図１５】第４実施形態に係る濁度測定装置の全体を示す側面図である。
【図１６】図１３に示す濁度測定装置のセルの天井壁の一部と一方の側面壁と正面壁とをセルから取り外した状態において、セルの内部を流通する液体の流れ方向を模式的に示す図である。
【図１７】図１６に示す矢ＸＶＩＩが指す方向にて濁度測定装置を見るときのセルの内部を流通する液体の流れ方向を模式的に示す図である。
【図１８】図１６に示す矢ＸＶＩＩＩが指す方向にて濁度測定装置を見るときのセルの内部を流通する液体の流れ方向を模式的に示す図である。
【図１９】図１４のＸＩＸ−ＸＩＸ線の断面図である。
【図２０】第５実施形態に係る濁度測定装置の断面図である。
【図２１】第６実施形態に係る濁度測定装置の断面図である。
【図２２】第７実施形態に係る濁度測定装置の断面図である。
【図２３】第８実施形態に係る濁度測定装置の全体を示す斜視図である。
【図２４】第８実施形態に係る濁度測定装置の全体を示す正面図である。
【図２５】第８実施形態に係る濁度測定装置の全体を示す側面図である。
【図２６】第９実施形態に係る濁度測定装置の全体を示す斜視図である。
【図２７】第９実施形態に係る濁度測定装置の全体を示す正面図である。
【図２８】第９実施形態に係る濁度測定装置の全体を示す側面図である。
【図２９】第１０実施形態に係る濁度測定装置の全体を示す斜視図である。
【図３０】第１０実施形態に係る濁度測定装置の全体を示す正面図である。
【図３１】第１０実施形態に係る濁度測定装置の全体を示す側面図である。
【発明を実施するための形態】
【００２４】
以下、この発明の実施の形態を図面に基づいて説明する。
【００２５】
（第１実施形態）
濁度測定装置１は、対象の液体が溜められたセル１００に光を照射することにより、照射された光の透過光または散乱光の強度から対象の液体の濁度を検知するものである。図１に示すように、濁度測定装置１は、濁度測定用のセル１００と発光部１２１と受光部１２２とを備えている。
【００２６】
図１に示すように、セル１００は、正面側に正面壁１０１と正面壁１０２とを有している。セル１００は、上面側に天井壁１１０と天井壁１０９と天井壁１０８とを有している。セル１００は、一方の側の側面に側面壁１０３と側面壁１０５とを有している。また、図２に示すように、セル１００は、他方の側面に側面壁１０４と側面壁１０６とを有している。図３に示すように、セル１００は、背面側に背面壁１０７を有し、且つ、底面として、底面壁１１１と底面壁１１２とを有している。図３に示すように、セル１００では、底面壁１１１と底面壁１１２とは、互いに略平行に延びている。また、図４（Ａ）に示すように、天井壁１１０は、図４（Ａ）の左右方向に延びている。さらに、天井壁１１０と天井壁１０８とは、互いに略平行に延びている。一方、天井壁１０９は、図４（Ａ）の左右方向に対して傾斜している。
【００２７】
側面壁１０３と側面壁１０５と側面壁１０４と側面壁１０６とは、互いに略平行に延びている。正面壁１０１と正面壁１０２と背面壁１０７とは、互いに略平行に延びている。天井壁１１０と底面壁１１１と底面壁１１２とは互いに略平行に延びている。
【００２８】
セル１００の内部には、空間が形成されている。図４（Ａ）に示すように、セル１００には、入口１４１と出口１４２とが形成されている。入口１４１は、セル１００の外部から内部に液体を流入させるものである。出口１４２は、セル１００の内部に流入した液体をセル１００の外部に流出させるものである。入口１４１は底面壁１１２に形成された開口であり、出口１４２は天井壁１１０に形成された開口である。ただし、入口１４１は、側面壁１０５、正面壁１０１、または背面壁１０７に形成されていてもよい。このとき、入口１４１は、天井壁１０９よりも底面壁１１２に近い場所、すなわち、セル１００の上下方向に関してセル１００の中央よりも下方に配置されていることが好ましい。
【００２９】
一方、出口１４２は、側面壁１０６、正面壁１０１、または背面壁１０７に形成されていてもよい。このとき、出口１４２は、底面壁１１２よりも天井壁１０９に近い場所、すなわち、セル１００の上下方向に関してセル１００の中央よりも上方に配置されていることが好ましい。
【００３０】
導入管１５１と導出管１５２とは、セル１００に接続されている。導入管１５１は、入口１４１を介してセル１００に接続されている。導入管１５１は導入路１５３を形成している。セル１００の外部からセル１００の内部に流入する液体は、導入路１５３を流通する。導入路１５３を流通する液体は、入口１４１を介して流路空間１３１に流入する。導出管１５２は、出口１４２を介してセル１００に接続されている。導出管１５２は導出路１５４（図４（Ｂ）参照）を形成している。出口１４２からセル１００の外部に流出した液体は、導出路１５４を流通する。このように、セル１００の内部の空間には液体が溜められる。
【００３１】
セル１００の内部の空間に溜められる液体には、濁質が含まれている。また、入口１４１からセル１００の内部に流入する際または入口１４１よりも上流側を液体が流通している際等に、気体が液体に混入される場合がある。そのため、入口１４１からセル１００の内部に流入した液体に、気泡が含まれていることがある。これらの気泡が発光部１２１と受光部１２２との間を結ぶ光路に進入する場合には、気泡によって生じる散乱の影響により、液体の濁度を正確に測定することができない。そのため、セル１００は、セル１００の内部に液体とともに流入した気泡または気体が光路に進入しないように構成されている。
【００３２】
図４（Ａ）に示すように、セル１００の内部には、流路空間１３１と、流路空間１３２と、流路空間１３３と、流路空間１３１と流路空間１３２とを接続する接続空間１３４と、流路空間１３２と流路空間１３３とを接続する接続空間１３５とが形成されている。つまり、セル１００は、流路空間１３１と流路空間１３２と流路空間１３３と接続空間１３４と接続空間１３５とを有している。入口１４１と出口１４２と流路空間１３１と流路空間１３２と流路空間１３３と接続空間１３４と接続空間１３５とは、入口１４１と流路空間１３１と接続空間１３４と流路空間１３２と接続空間１３５と流路空間１３３と出口１４２との順に液体が流れるように配置されている。
【００３３】
図１から図４に示すように、第１の流路空間としての流路空間１３１は、天井壁１０９と底面壁１１２と側面壁１０５と区画壁１１３と正面壁１０１と背面壁１０７とに囲まれることにより、セル１００の内部に形成されている。第３の流路空間としての流路空間１３３は、天井壁１１０と底面壁１１２と側面壁１０６と区画壁１１４と正面壁１０１と背面壁１０７とに囲まれることにより、セル１００の内部に形成されている。
【００３４】
第２の流路空間としての流路空間１３２は、天井壁１０９と、天井壁１０８と、底面壁１１２および底面壁１１１と、区画壁１１３および側面壁１０３と、区画壁１１４および側面壁１０４と、正面壁１０２と、天井壁１０８の上方の正面壁１０１の一部と、背面壁１０７とに囲まれることにより、セル１００の内部に形成されている。つまり、流路空間１３２は、天井壁１０９と底面壁１１２と区画壁１１３と区画壁１１４と背面壁１０７とに覆われる空間と、天井壁１０８と底面壁１１１と側面壁１０４と側面壁１０３と正面壁１０２とに覆われる空間とを有している。流路空間１３２では、正面側が正面壁１０２によって区画され、背面側が背面壁１０７によって区画されている。流路空間１３２の正面側と背面側を区画する壁は、正面壁１０２と背面壁１０７とを除いてセル１００に設けられていない。
【００３５】
セル１００では、流路空間１３２の正面側の端と背面側の端との間の寸法は、流路空間１３１のものと流路空間１３３のものとに比べて大きい。図１に示すように、流路空間１３２（図４（Ａ）参照）のうち、天井壁１０８と底面壁１１１と側面壁１０４（図２参照）と側面壁１０３と正面壁１０２とに覆われる空間は、正面壁１０１と背面壁１０７（図３参照）と側面壁１０５と側面壁１０６（図２参照）と天井壁１０９および天井壁１１０と底面壁１１２とに覆われる空間、すなわち、流路空間１３１（図４（Ａ）参照）と流路空間１３３（図４（Ａ）参照）とを合わせた空間よりも正面側に突出している。このように、セル１００では、流路空間１３１と流路空間１３２と流路空間１３３との幅方向（図４（Ａ）の左右方向）の寸法が同一である場合に、流路空間１３２は、流路空間１３１の容積または流路空間１３３の容積よりも大きな容積を有している。
【００３６】
流路空間１３２において、側面壁１０３と区画壁１１３（図４（Ａ）参照）とは、一体であってもよく、別体であってもよい。また、流路空間１３２において、側面壁１０４と区画壁１１４（図４（Ａ）参照）とは、一体であってもよく、別体であってもよい。
【００３７】
流路空間１３２において、側面壁１０３と区画壁１１３とが一体であるか別体であるかにかかわらず、側面壁１０３と区画壁１１３とは、セル１００の正面側から背面側に向かう方向に沿って互いに連続するように延びている。流路空間１３２において、側面壁１０４と区画壁１１４とが一体であるか別体であるかにかかわらず、側面壁１０４と区画壁１１４とは、セル１００の正面側から背面側に向かう方向に沿って互いに連続するように延びている。
【００３８】
また、流路空間１３２において、側面壁１０３と区画壁１１３とが一体であるか別体であるかにかかわらず、流路空間１３１と流路空間１３２とは、接続空間１３４のみによって互いに接続されている。一方、流路空間１３２において、側面壁１０４と区画壁１１４とが一体であるか別体であるかにかかわらず、流路空間１３２と流路空間１３３とは、接続空間１３５のみによって互いに接続されている。
【００３９】
なお、側面壁１０３と側面壁１０４とは、図２に示すように略鉛直方向に延びるものに限定されず、略鉛直方向から傾斜していてもよい。一方、区画壁１１３と区画壁１１４とは、図４（Ａ）に示すように略鉛直方向に延びるものに限定されず、略鉛直方向から傾斜していてもよい。また、区画壁１１３と区画壁１１４とは、曲線状に上下方向に延びていてもよい。すなわち、セル１００の内部の流路空間１３１と流路空間１３２と流路空間１３３とは、それぞれの単位流路長あたりの容積（物理量はｍｍ3／ｍｍである）、つまりそれぞれの断面積（物理量はｍｍ2である）が一定でなくてもよい。
【００４０】
図４（Ａ）に示すように、セル１００の上下方向に関して、接続空間１３４はセル１００の内部の上端部１０ａに配置され、且つ、接続空間１３５はセル１００の内部の下端部１０ｂに配置されている。セル１００の内部の上端部１０ａは、天井壁１０９の内面付近の空間のことであって、天井壁１０９の内面と区画壁１１３の上端１１３ｅとの間の空間を含んでいる。一方、セル１００の内部の下端部１０ｂは、底面壁１１２の内面付近の空間のことであって、底面壁１１２の内面と区画壁１１４の下端１１４ｅとの間の空間を含んでいる。なお、各壁の内面とは、セル１００の内部に面した面であり、液体と接触する面のことである。
【００４１】
接続空間１３４は、区画壁１１３の上端１１３ｅの上方と天井壁１０９の内面との間の空間を少なくとも含んでいる。一方、接続空間１３５は、区画壁１１４の下端１１４ｅの下方と底面壁１１２の内面との間の空間を少なくとも含んでいる。
【００４２】
図３に示すように、区画壁１１３の上端１１３ｅは、図３の左右方向に延びるようにセル１００の内部に配置されている。ただし、区画壁１１３の上端１１３ｅは、図３に示すものと異なり、図３の左右方向から傾斜していてもよい。また、区画壁１１３の上端１１３ｅの形状は、特に限定されない。図４（Ａ）に示すように、区画壁１１３は、底面壁１１２から上方に向かって延びている。
【００４３】
一方、図３に示すように、区画壁１１４の下端１１４ｅは、図３の左右方向に延びるようにセル１００の内部に配置されている。ただし、区画壁１１４の下端１１４ｅは、図３に示すものと異なり、図３の左右方向から傾斜していてもよい。また、区画壁１１４の下端１１４ｅの形状は、特に限定されない。図４（Ａ）に示すように、区画壁１１４は、天井壁１１０から下方に向かって延びている。
【００４４】
セル１００を形成する各壁の材質は、例えば、アクリル樹脂、ポリカーボネート、塩化ビニル、ガラス、石英、ポリエチレン樹脂、またはオレフィン系樹脂等である。セル１００の壁のうち、少なくとも天井壁１０８と底面壁１１１は、透明な材質、すなわち、可視光線を透過させることが可能な材質によって形成されている。
【００４５】
図１に示すように、発光部１２１は、底面壁１１１の下方に配置されている。発光部１２１は、底面壁１１２の下方に配置されていてもよい。これらにより、発光部１２１は、セル１００の内部のうち流路空間１３２（図４（Ａ）参照）に向かって光を照射する。発光部１２１は、発光部１２１から照射される光が導入路１５３または導出路１５４に入射しないように、セル１００の外部に配置されている。発光部１２１が照射する光は可視光領域の光である。発光部１２１が照射する光としては、波長が短い方が好ましく、例えば、青色の光が好ましい。また、発光部１２１が照射する光の広がり角は小さい方が好ましい。発光部１２１は、例えばレーザー光であることが好ましい。また、発光部１２１は、複数の波長の光を照射するものであってもよい。例えば、第１の波長の光として青色の光を照射し、第２の波長の光として赤色の光を照射していてもよい。
【００４６】
受光部１２２は、発光部１２１が発した光を受光する。受光部１２２は、天井壁１０８の上方に配置されている。ただし、受光部１２２と発光部１２１との配置は、互いに入れ替わっていてもよい。つまり、受光部１２２が底面壁１１２の下方に配置され且つ発光部１２１が天井壁１０８の上方に配置されていてもよい。このように、濁度測定装置１では、いわゆる透過光が利用されている。すなわち、受光部１２２は、液体に含まれる濁質によって散乱されない光を受光する。図１および図２に示すように、受光部１２２は、発光部１２１が発する光が進行する方向と対向するように配置されている。
【００４７】
なお、発光部１２１は、図２において、側面壁１０３の図２の右方に配置されていてもよく、または、側面壁１０４の左方に配置されていてもよい。発光部１２１が側面壁１０３の右方に配置される場合には、受光部１２２は側面壁１０４の左方に配置される。また、発光部１２１が側面壁１０４の左方に配置される場合には、受光部１２２は側面壁１０３の右方に配置される。これらのように、発光部１２１は、セル１００の内部のうち流路空間１３２と接続空間１３５と流路空間１３３とのいずれかに向かって光を照射するものであればよく、且つ、受光部１２２は、発光部１２１が発する光が進行する方向と対向するように配置されていればよい。
【００４８】
セル１００の縦（高さ）の寸法は、セル１００の横（幅）の寸法に比べて大きい。このような構成は、濁度測定装置１において透過光が利用されている場合には適している。ただし、濁度測定装置１において、少なくとも、流路空間１３２の上下方向の寸法が流路空間１３２の幅よりも大きければよい。
【００４９】
ただし、濁度測定装置１では、いわゆる散乱光が利用されていてもよい。すなわち、受光部１２２は、液体に含まれる濁質によって散乱された光を受光するものであってもよい。この場合には、発光部１２１は、受光部１２２の配置に応じて、セル１００の内部のうち流路空間１３２と接続空間１３５と流路空間１３３とのいずれかに向かって光を照射するものであればよい。図２に示すように、発光部１２１が底面壁１１１または底面壁１１２の下方に配置されている場合に、受光部１２２は、例えば側面壁１０３よりも図２の右方または側面壁１０４よりも図２の左方に配置されていてもよい。また、発光部１２１が底面壁１１１または底面壁１１２の下方に配置されている場合に、受光部１２２は、例えば正面壁１０２よりも図３の左方または背面壁１０７よりも図３の右方に配置されていてもよい。また、発光部１２１が底面壁１１１または底面壁１１２の下方に配置されている場合に、受光部１２２は、例えば底面壁１１２の下方に配置されていてもよい。これらのとき、セル１００の各壁面に対して発光部１２１が取り付けられる角度と、セル１００の各壁面に対して受光部１２２が取り付けられる角度とは、特に限定されず、発光部１２１が発する光の強度等に基づいて適宜決定されていてもよい。濁度測定装置１では、セル１００の壁のうち、少なくとも、発光部１２１に面する壁と受光部１２２に面する壁とが、透明な材質、すなわち、可視光線を透過させることが可能な材質によって形成されていればよい。
【００５０】
受光部１２２は、発光部１２１がセル１００の内部に照射した光を受光することにより、演算部（図示しない）に信号を送信する。受光部１２２から信号を受信した演算部は、受光部１２２が受光した光の強度に基づいて、セル１００の内部に溜められている液体の濁度を検知する。
【００５１】
図４（Ａ）および（Ｂ）に示すように、濁度測定装置１は、導出路１５４と接続空間１３４とを接続する細管１５５を備えている。細管１５５の内部は、接続流路としての気体流路１５６が形成されている。気体流路１５６では、後述するように液体から分離された気体が流通する。そのため、導出路１５４と接続空間１３４とは、詳細には気体流路１５６を介して互いに接続されている。また、細管１５５は、セル１００の天井壁１０９と導出管１５２とに接続されている。細管１５５の内部の断面積、つまり、気体流路１５６の流路断面積は、導出路１５４の流路断面積よりも小さい。
【００５２】
導出路１５４は、流路空間１３３の断面積よりも小さい流路断面積を有している。一方、導入路１５３は、流路空間１３１の断面積よりも小さい流路断面積を有している。導出路１５４の流路断面積とは、導出管１５２の内部の空間の断面積のことである。導入路１５３の流路断面積とは、導入管１５１の内部の空間の断面積のことである。導入管１５１は底面壁１１２に固定されている。導出管１５２は天井壁１１０に固定されている。
【００５３】
以下では、セル１００の内部等での液体の流れについて説明する。
図４（Ａ）に示すように、入口１４１を介して導入路１５３からセル１００の内部の流路空間１３１に流入した液体は、下方から上方に向かって流路空間１３１を流通する。流路空間１３１を流通する液体は、接続空間１３４を介して流路空間１３２に流入する。上方から下方に向かって流路空間１３２を流通した液体は、接続空間１３５を介して流路空間１３３に流入する。下方から上方に向かって流路空間１３３を流通した液体は、出口１４２を介してセル１００の外部としての導出路１５４に流出する。
【００５４】
導入路１５３から流路空間１３１に流入した液体に気泡が混入されている場合には、液体が流路空間１３１から流路空間１３２を流通する間に、気泡が有する浮力によって気泡または気体が接続空間１３４に集まる。天井壁１０９は、流路空間１３１から流路空間１３２に向かって、水平方向から上方に傾斜している。これにより、接続空間１３４には、液面よりも上方に気体が溜められるような空間が形成される。なお、天井壁１０８は、前後方向（図３の左右方向）から傾斜していてもよい。天井壁２０１が前後方向から傾斜していることにより、流路空間１３１から流路空間１３２を流通する液体に含まれる気体は、天井壁１０８の内面の下方に滞留することなく、接続空間１３４に集まる。
【００５５】
細管１５５は、このような空間つまり接続空間１３４の上端部と導出路１５４とが互いに接続されるように、天井壁１０９と導出管１５２とに取り付けられている。気体流路１５６と導出路１５４との接続部分１５６ｂ（図４（Ｂ）参照）では、接続空間１３４と気体流路１５６との接続部分１５６ａ（図４（Ｂ）参照）の圧力に対して負圧が発生する。そのため、接続空間１３４に蓄積された気体は、気体流路１５６を介して導出路１５４に吸い込まれる。導出路１５４に吸い込まれた気体は、液体とともに導出路１５４を流通する。
【００５６】
なお、細管１５５のセル１００と導出管１５２とへの取付の態様は、特に限定されない。また、導出管１５２では、液体または気体の流れ方向に関して接続部分１５６ｂよりも下流側の部分の内径が適宜絞られていてもよい。つまり、導出路１５４は、液体または気体の流れ方向に関して接続部分１５６ｂよりも下流側の部分の流路断面積が、接続部分１５６ｂよりも上流側の部分の流路断面積よりも小さいような部分を有していてもよい。
【００５７】
以上のように、第１実施形態に係る濁度測定装置１は、液体を流入させる入口１４１と、入口１４１から流入した液体を流出させる出口１４２とが形成されたセル１００を備えている。セル１００は、流路空間１３１と流路空間１３２と流路空間１３３と接続空間１３４と接続空間１３５とを有している。接続空間１３４は、流路空間１３１と流路空間１３２とを接続する。接続空間１３５は、流路空間１３２と流路空間１３３とを接続する。入口１４１と出口１４２と流路空間１３１と流路空間１３２と流路空間１３３と接続空間１３４と接続空間１３５とは、入口１４１、流路空間１３１、接続空間１３４、流路空間１３２、接続空間１３５、流路空間１３３、および、出口１４２の順に、液体が流れるように配置されている。接続空間１３４は、セル１００の上下方向に関してセル１００の内部の上端部１０ａに配置されている。
【００５８】
また、濁度測定装置１は、導出管１５２と、細管１５５と、発光部１２１と、受光部１２２とをさらに備えている。導出管１５２は、出口１４２を介してセル１００に接続され、出口１４２からセル１００の外部に流出した液体が流通する導出路１５４を形成する。細管１５５は気体流路１５６を形成する。気体流路１５６は、導出路１５４の流路断面積よりも小さい流路断面積を有し且つ導出路１５４と接続空間１３４とを接続する。発光部１２１は、セル１００の内部のうち流路空間１３２と接続空間１３５と流路空間１３３とのいずれかに向かって光を照射する。受光部１２２は、発光部１２１が発した光を受光する。
【００５９】
濁度測定装置１によれば、入口１４１を介してセル１００の内部に液体が流入する。セル１００の内部に流入した液体は、流路空間１３１から流路空間１３２を経て流路空間１３３に流れていく。流路空間１３１と流路空間１３２とを接続する接続空間１３４は、セル１００の上下方向に関してセル１００の内部の上端部１０ａに配置され、且つ、流路空間１３２と流路空間１３３とを接続する接続空間１３５は、セル１００の上下方向に関してセル１００の内部の下端部１０ｂに配置されている。そのため、セル１００の内部に流入する液体に気泡または気体が含まれている場合は、流路空間１３１から流路空間１３２を経て流路空間１３３に至るまで液体が流れる際に、気泡が有する浮力により、気泡または気体が接続空間１３４に蓄積される。
【００６０】
また、導出管１５２が出口１４２を介してセル１００に接続されている。導出管１５２は、出口１４２からセル１００の外部に流出した液体が流通する導出路１５４を形成する。導出路１５４と接続空間１３４とは、気体流路１５６によって接続されている。気体流路１５６の流路断面積は導出路１５４の流路断面積よりも小さい。気体流路１５６と導出路１５４との接続部分１５６ｂでは、気体流路１５６と接続空間１３４との接続部分１５６ａの圧力に対して負圧が発生するため、接続空間１３４に蓄積された気泡または気体は、気体流路１５６を介して導出路１５４に吸い込まれる。このように、入口１４１からセル１００の内部に流通する液体に含まれる気泡または気体は、接続空間１３４から導出路１５４に流出することにより、セル１００の内部から排出される。
【００６１】
さらに、濁度測定装置１によれば、発光部１２１が、セル１００の内部のうち流路空間１３２と接続空間１３５と流路空間１３３とのいずれかに向かって光を発する。受光部１２２は、発光部１２１が発した光を受光する。つまり、発光部１２１は、気泡が混入された液体が流通する流路空間１３１または気体が蓄積される接続空間１３４には光を発していない。このように、濁度測定装置１は、発光部１２１から受光部１２２に向かって進行する光が形成する光路に、液体に含まれる気泡または気体が進入することが無いように構成されている。そのため、濁度測定装置１によれば、液体に含まれる気泡の影響を受けずに液体の濁度を正確に測定することができる。
【００６２】
濁度測定装置１は、導入管１５１をさらに備えている。導入管１５１は、入口１４１を介してセル１００に接続されている。また、導入管１５１は、入口１４１から流路空間１３１に向かう方向に液体が流通する導入路１５３を形成している。さらに、濁度測定装置１では、発光部１２１は、照射される光が導入路１５３または導出路１５４に入射しないように配置され、セル１００の内部のうち流路空間１３２に向かって光を照射する。
【００６３】
この構成によれば、導入路１５３と流路空間１３１とが互いに接続されるように導入管１５１がセル１００に接続されている。また、導出路１５４と流路空間１３３とが互いに接続されるように導出管１５２がセル１００に接続されている。一方、発光部１２１は、セル１００の内部のうち流路空間１３２に向かって光を照射することが可能なように、セル１００の近傍に配置される。つまり、発光部１２１は、照射される光が導入管１５１または導出管１５２に入射しないような場所に配置されている。そのため、発光部１２１と導入管１５１と導出管１５２との配置は、特別な光学設計によらずに比較的容易に設計される。これにより、セル１００の内部に溜められる液体の濁度を比較的容易に測定することができる。したがって、濁度測定装置１によれば、液体に含まれる気泡の影響を受けずに液体の濁度を正確且つ比較的容易に測定することができる。
【００６４】
以上のように、濁度測定装置１は、液体に含まれる気泡の影響を受けずに液体の濁度を正確に測定することができる。
【００６５】
（第２実施形態）
以下では、第２実施形態に係る濁度測定装置２について説明する。なお、第１実施形態に係る濁度測定装置１と同様の構成については、説明を省略する。
【００６６】
図５に示すように、濁度測定装置２は、濁度測定用のセル２００と発光部２２１と受光部２２２とを備えている。
【００６７】
図６および図７に示すように、天井壁２０８は、図６の紙面表面にてセル２００を見る場合に、天井壁２０８の表面が見えるように水平方向から傾斜している。側面壁２０３と側面壁２０５と側面壁２０４と側面壁２０６とは、互いに略平行に延びている。正面壁２０１と背面壁２０７とは、互いに略平行に延びている。天井壁２１０と底面壁２１１とは互いに略平行に延びている。図７に示すように、正面壁２０２は、図７の上下方向（つまり鉛直方向）に対して傾斜している。図７に示すように、正面壁２０２は、セル２００の鉛直下方からセル２００を見る場合に、正面壁２０２の表面が見えるように鉛直方向から傾斜している。正面壁２０１の下端の縁と正面壁２０２の下端の縁とは、底面壁２１１の縁と略一致している。
【００６８】
図８（Ａ）に示すように、セル２００には、入口２４１と出口２４２とが形成されている。入口２４１は底面壁２１１に形成された開口であり、出口２４２は天井壁２１０に形成された開口である。導入管２５１と導出管２５２とは、セル１００に接続されている。導入管２５１は導入路２５３を形成している。導入路２５３を流通する液体は、入口２４１を介して流路空間２３１に流入する。導出管２５２は導出路２５４（図８（Ｂ）参照）を形成している。出口２４２からセル２００の外部に流出した液体は、導出路２５４を流通する。
【００６９】
図８（Ａ）に示すように、セル２００の内部には、流路空間２３１と、流路空間２３２と、流路空間２３３と、流路空間２３１と流路空間２３２とを接続する接続空間２３４と、流路空間２３２と流路空間２３３とを接続する接続空間２３５とが形成されている。
【００７０】
図５から図８に示すように、第１の流路空間としての流路空間２３１は、天井壁２０９と底面壁２１１と側面壁２０５と区画壁２１３と正面壁２０１と背面壁２０７とに囲まれることにより、セル２００の内部に形成されている。第３の流路空間としての流路空間２３３は、天井壁２１０と底面壁２１１と側面壁２０６と区画壁２１４と正面壁２０１と背面壁２０７とに囲まれることにより、セル２００の内部に形成されている。
【００７１】
第２の流路空間としての流路空間２３２は、天井壁２０９と、天井壁２０８と、底面壁２１１と、区画壁２１３および側面壁２０３と、区画壁２１４および側面壁２０４と、正面壁２０２と、天井壁２０８の上方の正面壁２０１の一部と、背面壁２０７とに囲まれることにより、セル２００の内部に形成されている。つまり、流路空間２３２は、天井壁２０８の上方の正面壁２０１の一部と、天井壁２０９と底面壁２１１と区画壁２１３と区画壁２１４と背面壁２０７とに覆われる空間と、天井壁２０８と底面壁２１１と側面壁２０４と側面壁２０３と正面壁２０２とに覆われる空間とを有している。
【００７２】
セル２００では、流路空間２３２の正面側の端と背面側の端との間の寸法は、流路空間２３２の下端を除いて流路空間２３１のものと流路空間２３３のものとに比べて大きい。図５に示すように、流路空間２３２のうち、天井壁２０８と側面壁２０４（図６参照）と側面壁２０３と正面壁２０２とに覆われる空間は、正面壁２０１と背面壁２０７（図７参照）と側面壁２０５と側面壁２０４（図６参照）と天井壁２０９および天井壁２１０と底面壁２１１とに覆われた空間、すなわち、流路空間２３１と流路空間２３３とを合わせた空間よりも正面側に突出している。
【００７３】
流路空間２３２において、側面壁２０３と区画壁２１３とが一体であるか別体であるかにかかわらず、流路空間２３１と流路空間２３２とは、接続空間２３４のみによって互いに接続されている。一方、流路空間２３２において、側面壁２０４と区画壁２１４とが一体であるか別体であるかにかかわらず、流路空間２３２と流路空間２３３とは、接続空間２３５のみによって互いに接続されている。
【００７４】
図８（Ａ）に示すように、セル２００の上下方向に関して、接続空間２３４はセル２００の内部の上端部２０ａに配置され、且つ、接続空間２３５はセル２００の内部の下端部２０ｂに配置されている。セル２００の内部の上端部２０ａは、天井壁２０９の内面付近の空間のことであって、天井壁２０９の内面と区画壁２１３の上端２１３ｅとの間の空間を含んでいる。一方、セル２００の内部の下端部２０ｂは、底面壁２１１の内面付近の空間のことであって、底面壁２１１の内面と区画壁２１４の下端２１４ｅとの間の空間を含んでいる。接続空間２３４は、区画壁２１３の上端２１３ｅの上方と天井壁２０９の内面との間の空間を少なくとも含んでいる。一方、接続空間２３５は、区画壁２１４の下端２１４ｅの下方と底面壁２１１の内面との間の空間を少なくとも含んでいる。
【００７５】
図７に示すように、区画壁２１３の上端２１３ｅは、図７の左右方向から傾斜していてもよく、図７の左右方向に延びるようにセル２００の内部に配置されていてもよい。また、区画壁２１３の上端２１３ｅの形状は、特に限定されない。
【００７６】
図７に示すように、区画壁２１４の下端２１４ｅは、図７の左右方向から傾斜していてもよく、図７の左右方向に延びるようにセル１００の内部に配置されていてもよい。また、区画壁２１４の下端２１４ｅの形状は、特に限定されない。
【００７７】
図５と図６とに示すように、発光部２２１は、底面壁２１１のうち、セル２００の左右方向に関して側面壁２０３と側面壁２０４とに挟まれた範囲の下方に配置されている。これにより、発光部２２１は、セル２００の内部のうち流路空間２３２（図８（Ａ）参照）に向かって光を照射する。受光部２２２は、液体に含まれる濁質によって散乱されない光を受光する。図５および図６に示すように、受光部２２２は、発光部２２１が発する光が進行する方向と対向するように配置されている。
【００７８】
発光部２２１は、セル２００の内部のうち流路空間２３２と接続空間２３５と流路空間２３３とのいずれかに向かって光を照射するものであればよく、且つ、受光部２２２は、発光部２２１が発する光が進行する方向と対向するように配置されていればよい。ただし、受光部２２２は、液体に含まれる濁質によって散乱された光を受光するものであってもよい。この場合には、発光部２２１は、受光部２２２の配置に応じて、セル２００の内部のうち流路空間２３２と接続空間２３５と流路空間２３３とのいずれかに向かって光を照射するものであればよい。
【００７９】
図８（Ａ）および（Ｂ）に示すように、濁度測定装置２は、導出路２５４と接続空間２３４とを接続する細管２５５を備えている。細管２５５は、セル２００の天井壁２０９と導出管２５２とに接続されている。細管２５５の内部の断面積、つまり、気体流路２５６の流路断面積は、導出路２５４の流路断面積よりも小さい。
【００８０】
導入路２５３から流路空間２３１に流入した液体に気泡が混入されている場合には、液体が流路空間２３１から流路空間２３２を流通する間に、気泡が有する浮力によって気泡または気体が接続空間２３４に集まる。天井壁２０９は、流路空間２３１から流路空間２３２に向かって、水平方向から上方に傾斜している。これにより、接続空間２３４には、液面よりも上方に気体が溜められるような空間が形成される。また、図７に示すように天井壁２０８が左右方向から傾斜していることにより、流路空間２３１から流路空間２３２を流通する液体に含まれる気体は、天井壁２０８の内面の下方に滞留することなく、接続空間２３４に集まる。細管２５５は、接続空間２３４の上端部と導出路２５４とが互いに接続されるように、天井壁２０９と導出管２５２とに取り付けられている。気体流路２５６と導出路２５４との接続部分２５６ｂ（図８（Ｂ）参照）では、接続空間２３４と気体流路２５６との接続部分２５６ａ（図８（Ｂ）参照）の圧力に対して負圧が発生する。そのため、接続空間２３４に蓄積された気体は、気体流路２５６を介して導出路２５４に吸い込まれる。導出路２５４に吸い込まれた気体は、液体とともに導出路２５４を流通する。
【００８１】
以上のように、濁度測定装置２は、液体に含まれる気泡の影響を受けずに液体の濁度を正確に測定することができる。
【００８２】
（第３実施形態）
以下では、第３実施形態に係る濁度測定装置３について説明する。なお、第１実施形態に係る濁度測定装置１と同様の構成については、説明を省略する。
【００８３】
図９に示すように、濁度測定装置３は、濁度測定用のセル３００と発光部３２１と受光部３２２とを備えている。
【００８４】
図９に示すように、セル３００は、正面側に正面壁３０１と正面壁３０２と正面壁３１２とを有している。図１１に示すように、正面壁３０１は、セル３００の鉛直上方からセル３００を見る場合に、正面壁３０１の表面が見えるように図１１の上下方向（つまり鉛直方向）から傾斜している。一方、正面壁３０２と正面壁３１２とは略鉛直方向に延びている。また、背面壁３０７は、セル３００の鉛直下方からセル３００を見る場合に、背面壁３０７の表面が見えるように鉛直方向から傾斜している。
【００８５】
正面壁３０１の下端の縁と正面壁３０２の下端の縁とは、底面壁３１１の縁と略一致している。天井壁３１０と底面壁３１１と天井壁３０８とは互いに略平行に延びている。一方、図１２（Ａ）に示すように、天井壁３０９は、水平方向に対して傾斜している。
【００８６】
図１２（Ａ）に示すように、セル３００には、入口３４１と出口３４２とが形成されている。入口３４１は底面壁３１１に形成された開口であり、出口３４２は天井壁３１０に形成された開口である。導入管３５１と導出管３５２とは、セル３００に接続されている。導入管３５１は導入路３５３を形成している。導入路３５３を流通する液体は、入口３４１を介して流路空間３３１に流入する。導出管３５２は導出路３５４を形成している。出口３４２からセル３００の外部に流出した液体は、導出路３５４を流通する。
【００８７】
セル３００の内部には、流路空間３３１と、流路空間３３２と、流路空間３３３と、流路空間３３１と流路空間３３２とを接続する接続空間３３４と、流路空間３３２と流路空間３３３とを接続する接続空間３３５とが形成されている。
【００８８】
図９から図１２に示すように、第１の流路空間としての流路空間３３１は、天井壁３０９と底面壁３１１と側面壁３０５と区画壁３１３と正面壁３０１と背面壁３０７とに囲まれることにより、セル３００の内部に形成されている。第３の流路空間としての流路空間３３３は、天井壁３１０と底面壁３１１と側面壁３０６と区画壁３１４と正面壁３０１と背面壁３０７とに囲まれることにより、セル３００の内部に形成されている。
【００８９】
第２の流路空間としての流路空間３３２は、天井壁３０９と、天井壁３０８と、底面壁３１１と、区画壁３１３および側面壁３０３と、区画壁３１４および側面壁３０４と、正面壁３０２と、正面壁３１２と、背面壁３０７とに囲まれることにより、セル３００の内部に形成されている。つまり、流路空間３３２は、天井壁３０８の上方の正面壁３０１の一部と、天井壁３０９と底面壁３１１と区画壁３１３と区画壁３１４と背面壁３０７とに覆われる空間と、天井壁３０８と底面壁３１１と側面壁３０４と側面壁３０３と正面壁３０２とに覆われる空間とを有している。
【００９０】
セル３００では、流路空間３３２の正面側の端と背面側の端との間の寸法は、流路空間３３２の下端を除いて流路空間３３１のものと流路空間３３３のものとに比べて大きい。図９または図１１に示すように、流路空間３３２（図１２（Ａ）参照）のうち、天井壁３０８と側面壁３０４と側面壁３０３と正面壁３０２とに覆われる空間は、正面壁３１２および正面壁３０１と背面壁３０７と側面壁３０５と側面壁３０６と天井壁３０９および天井壁３１０と底面壁３１１とに覆われた空間、すなわち、流路空間３３１と流路空間３３３とを合わせた空間よりも正面側に突出している。
【００９１】
流路空間３３２において、側面壁３０３と区画壁３１３とが一体であるか別体であるかにかかわらず、流路空間３３１と流路空間３３２とは、接続空間３３４のみによって互いに接続されている。一方、流路空間３３２において、側面壁３０４と区画壁３１４とが一体であるか別体であるかにかかわらず、流路空間３３２と流路空間３３３とは、接続空間３３５のみによって互いに接続されている。
【００９２】
図１２（Ａ）に示すように、セル３００の上下方向に関して、接続空間３３４はセル３００の内部の上端部３０ａに配置され、且つ、接続空間３３５はセル３００の内部の下端部３０ｂに配置されている。セル３００の内部の上端部３０ａは、天井壁３０９の内面付近の空間のことであって、天井壁３０９の内面と区画壁３１３の上端３１３ｅとの間の空間を含んでいる。一方、セル３００の内部の下端部３０ｂは、底面壁３１１の内面付近の空間のことであって、底面壁３１１の内面と区画壁３１４の下端３１４ｅとの間の空間を含んでいる。接続空間３３４は、区画壁３１３の上端３１３ｅの上方と天井壁３０９の内面との間の空間を少なくとも含んでいる。一方、接続空間３３５は、区画壁３１４の下端３１４ｅの下方と底面壁３１１の内面との間の空間を少なくとも含んでいる。
【００９３】
図９と図１０とに示すように、発光部３２１は、底面壁３１１のうち、セル３００の左右方向に関して側面壁３０３と側面壁３０４とに挟まれた範囲の下方に配置されている。これにより、発光部３２１は、セル３００の内部のうち流路空間３３２に向かって光を照射する。受光部３２２は、液体に含まれる濁質によって散乱されない光を受光する。図９および図１０に示すように、受光部３２２は、発光部３２１が発する光が進行する方向と対向するように配置されている。
【００９４】
発光部３２１は、セル３００の内部のうち流路空間３３２と接続空間３３５と流路空間３３３とのいずれかに向かって光を照射するものであればよく、且つ、受光部３２２は、発光部３２１が発する光が進行する方向と対向するように配置されていればよい。ただし、受光部３２２は、液体に含まれる濁質によって散乱された光を受光するものであってもよい。この場合には、発光部３２１は、受光部３２２の配置に応じて、セル３００の内部のうち流路空間３３２と接続空間３３５と流路空間３３３とのいずれかに向かって光を照射するものであればよい。
【００９５】
図１２（Ａ）に示すように、濁度測定装置３は、導出路３５４と接続空間３３４とを接続する細管３５５を備えている。細管３５５は、セル３００の天井壁３０９と導出管３５２とに接続されている。細管３５５の内部の断面積、つまり、気体流路３５６の流路断面積は、導出路３５４の流路断面積よりも小さい。
【００９６】
導入路３５３から流路空間３３１に流入した液体に気泡が混入されている場合には、液体が流路空間３３１から流路空間３３２を流通する間に、気泡が有する浮力によって気泡または気体が接続空間３３４に集まる。天井壁３０９は、流路空間３３１から流路空間３３２に向かって、水平方向から上方に傾斜している。これにより、接続空間３３４には、液面よりも上方に気体が溜められるような空間が形成される。なお、天井壁３０８は、前後方向（図１１の左右方向）から傾斜していてもよい。天井壁３０８が前後方向から傾斜していることにより、流路空間３３１から流路空間３３２を流通する液体に含まれる気体は、天井壁３０８の内面の下方に滞留することなく、接続空間３３４に集まる。細管３５５は、接続空間３３４の上端部と導出路３５４とが互いに接続されるように、天井壁３０９と導出管３５２とに取り付けられている。気体流路３５６と導出路３５４との接続部分３５６ｂ（図１２（Ｂ）参照）では、接続空間３３４と気体流路３５６との接続部分３５６ａ（図１２（Ｂ）参照）の圧力に対して負圧が発生する。そのため、接続空間３３４に蓄積された気体は、気体流路３５６を介して導出路３５４に吸い込まれる。導出路３５４に吸い込まれた気体は、液体とともに導出路３５４を流通する。
【００９７】
以上のように、濁度測定装置３は、液体に含まれる気泡の影響を受けずに液体の濁度を正確に測定することができる。
【００９８】
（第４実施形態）
以下では、第４実施形態に係る濁度測定装置４について説明する。なお、第１実施形態に係る濁度測定装置１と同様の構成については、説明を省略する。
【００９９】
図１３に示すように、濁度測定装置４は、濁度測定用のセル４００と発光部４２１と受光部４２２とを備えている。
【０１００】
図１３〜１５に示すように、セル４００は、正面側に正面壁４０１を有し、且つ、上面側に天井壁４０５と天井壁４０６とを有している。セル４００は、一方の側の側面に側面壁４０３を有し、且つ、他方の側面に側面壁４０４を有している。セル４００は、背面側に背面壁４０７を有し、且つ、底面として底面壁４０８を有している。また、図１４に示すように、天井壁４０６は、水平方向に延びている。一方、天井壁４０５は、水平方向に対して傾斜している。
【０１０１】
セル４００の内部には、空間が形成されている。図１６に示すように、セル４００には、入口４４１と出口４４２とが形成されている。入口４４１は底面壁４０８に形成された開口であり、出口４４２は天井壁４０６に形成された開口である。ただし、入口４４１は、側面壁４０３（図１３参照）または背面壁４０７に形成されていてもよい。このとき、入口４４１は、セル４００の上下方向に関してセル４００の中央よりも下方に配置されていることが好ましい。一方、出口４４２は、正面壁４０１または側面壁４０３に形成されていてもよい。このとき、出口４４２は、セル４００の上下方向に関してセル４００の中央よりも上方に配置されていることが好ましい。
【０１０２】
図１６に示すように、導入管４５１と導出管４５２とは、セル４００に接続されている。導入管４５１は、入口４４１を介してセル４００に接続されている。導入管４５１は導入路４５３を形成している。セル４００の外部からセル４００の内部に流入する液体は、導入路４５３を流通する。導入路４５３を流通する液体は、入口４４１を介して流路空間４３１に流入する。導出管４５２は、出口４４２を介してセル４００に接続されている。導出管４５２は導出路４５４を形成している。出口４４２からセル４００の外部に流出した液体は、導出路４５４を流通する。このように、セル４００の内部の空間には液体が溜められる。
【０１０３】
セル４００の内部には、流路空間４３１と、流路空間４３２と、流路空間４３３（図１７または図１８参照）と、流路空間４３１と流路空間４３２とを接続する接続空間４３４と、流路空間４３２と流路空間４３３とを接続する接続空間４３５とが形成されている。入口４４１と出口４４２と流路空間４３１と流路空間４３２と流路空間４３３と接続空間４３４と接続空間４３５とは、入口４４１と流路空間４３１と接続空間４３４と流路空間４３２と接続空間４３５と流路空間４３３と出口４４２との順に液体が流れるように配置されている。
【０１０４】
図１３と図１６と図１８とに示すように、第１の流路空間としての流路空間４３１は、天井壁４０５と、底面壁４０８と、側面壁４０３と、区画壁４１１と、背面壁４０７と、天井壁４０６の上方の正面壁４０２の一部と、に囲まれることにより、セル４００の内部に形成されている。第３の流路空間としての流路空間４３３は、天井壁４０６と底面壁４０８と側面壁４０３と区画壁４１２と区画壁４１３と正面壁４０１とに囲まれることにより、セル４００の内部に形成されている。
【０１０５】
第２の流路空間としての流路空間４３２は、天井壁４０６および天井壁４０５と、底面壁４０８と、区画壁４１１および区画壁４１２と、側面壁４０４と、正面壁４０２と、天井壁４０６の上方の正面壁４０２の一部と、背面壁４０７とに囲まれることにより、セル４００の内部に形成されている。つまり、流路空間４３２は、天井壁４０５と底面壁４０８と区画壁４１１と側面壁４０４と背面壁４０７とに覆われる空間と、天井壁４０６と底面壁４０８と側面壁４０４と区画壁４１２と正面壁４０１とに覆われる空間とを有している。このように、セル４００では、流路空間４３１と流路空間４３２と流路空間４３３との幅方向（図１７の左右方向）の寸法が同一である場合に、流路空間４３２は、流路空間４３１の容積または流路空間４３３の容積よりも大きな容積を有している。
【０１０６】
図１８に示すように、区画壁４１１と区画壁４１２と側面壁４０３と側面壁４０４とは、略平行に略鉛直方向に延びている。区画壁４１３と正面壁４０１と背面壁４０７とは、略平行に略鉛直方向に延びている。
【０１０７】
図１６に示すように、セル４００において、区画壁４１３と区画壁４１１とは、一体であってもよく、別体であってもよい。また、背面壁４０７と区画壁４１１とは、一体であってもよく、別体であってもよい。また、区画壁４１３と区画壁４１１とは、一体であってもよく、別体であってもよい。セル４００において、正面壁４０２と区画壁４１３と天井壁４０６とは、一体であってもよく、別体であってもよい。区画壁４１２と天井壁４０６とは、一体であってもよく、別体であってもよい。また、区画壁４１３と底面壁４０８とは、一体であってもよく、別体であってもよい。
【０１０８】
なお、区画壁４１１と区画壁４１２と区画壁４１３とは、図１６に示すように略鉛直方向に延びるものに限定されず、略鉛直方向から傾斜していてもよく、曲線状に上下方向に延びていてもよい。
【０１０９】
セル４００において、流路空間４３１と流路空間４３２とは、接続空間４３４のみによって互いに接続されている。一方、セル４００において、流路空間４３２と流路空間４３３とは、接続空間４３５のみによって互いに接続されている。
【０１１０】
図１６と図１８とに示すように、セル４００の上下方向に関して、接続空間４３４はセル４００の内部の上端部４０ａに配置され、且つ、接続空間４３５はセル４００の内部の下端部４０ｂに配置されている。セル４００の内部の上端部４０ａは、天井壁４０５（図１３参照）の内面付近の空間のことであって、天井壁４０５の内面と区画壁４１１の上端４１１ｅとの間の空間を含んでいる。一方、セル４００の内部の下端部４０ｂは、底面壁４０８の内面付近の空間のことであって、底面壁４０８の内面と区画壁４１２の下端４１２ｅとの間の空間を含んでいる。接続空間４３４は、区画壁４１１の上端４１１ｅの上方と天井壁４０５（図１３参照）の内面との間の空間を少なくとも含んでいる。一方、接続空間４３５は、区画壁４１２の下端４１２ｅの下方と底面壁４０８の内面との間の空間を少なくとも含んでいる。
【０１１１】
図１８に示すように、区画壁４１１の上端４１１ｅは、図１８の左右方向に延びるようにセル４００の内部に配置されている。ただし、区画壁４１１の上端４１１ｅは、図１８の左右方向から傾斜していてもよい。また、区画壁４１１の上端４１１ｅの形状は、特に限定されない。区画壁４１１は、底面壁４０８から上方に向かって延びている。
【０１１２】
一方、図１８に示すように、区画壁４１２の下端４１２ｅは、図１８の左右方向に延びるようにセル４００の内部に配置されている。ただし、区画壁４１２の下端４１２ｅは、図１８の左右方向から傾斜していてもよい。また、区画壁４１２の下端４１２ｅの形状は、特に限定されない。区画壁４１２は、天井壁４０６から下方に向かって延びている。一方、図１３と図１６と図１８とを参照するように、区画壁４１３は、天井壁４０６から底面壁４０８まで延びている。
【０１１３】
セル４００の壁のうち、少なくとも天井壁４０６と底面壁４０８とは、透明な材質、すなわち、可視光線を透過させることが可能な材質によって形成されている。
【０１１４】
図１３に示すように、発光部４２１は、底面壁４０８の下方に配置されている。これにより、発光部４２１は、セル４００の内部のうち流路空間４３２に向かって光を照射する。受光部４２２は、液体に含まれる濁質によって散乱されない光を受光する。図１３〜図１５に示すように、受光部４２２は、発光部４２１が発する光が進行する方向と対向するように配置されている。
【０１１５】
発光部４２１は、セル４００の内部のうち流路空間４３２と接続空間４３５と流路空間４３３とのいずれかに向かって光を照射するものであればよく、且つ、受光部４２２は、発光部４２１が発する光が進行する方向と対向するように配置されていればよい。ただし、受光部４２２は、液体に含まれる濁質によって散乱された光を受光するものであってもよい。この場合には、発光部４２１は、受光部４２２の配置に応じて、セル４００の内部のうち流路空間４３２と接続空間４３５と流路空間４３３とのいずれかに向かって光を照射するものであればよい。
【０１１６】
図１３に示すように、濁度測定装置４は細管４５５を備えている。図１７に示すように、細管４５５の内部は、液体から分離された気体が流通する気体流路４５６が形成されている。そのため、導出路４５４と接続空間４３４とは、気体流路４５６を介して互いに接続されている。図１３に示すように、細管４５５は、セル４００の天井壁４０６と導出管４５２とに接続されている。細管４５５の内部の断面積、つまり、気体流路４５６の流路断面積は、導出路４５４の流路断面積よりも小さい。
【０１１７】
以下では、セル４００の内部等での液体の流れについて説明する。
図１６に示すように、入口４４１を介して導入路４５３からセル４００の内部の流路空間４３１に流入した液体は、下方から上方に向かって流路空間４３１を流通する。流路空間４３１を流通する液体は、接続空間４３４を介して流路空間４３２に流入する。上方から下方に向かって流路空間４３２を流通した液体は、接続空間４３５を介して流路空間４３３に流入する。下方から上方に向かって流路空間４３３を流通した液体は、出口４４２を介してセル１００の外部としての導出路４５４に流出する。
【０１１８】
導入路４５３から流路空間４３１に流入した液体に気泡が混入されている場合には、液体が流路空間４３１から流路空間４３２を流通する間に、気泡が有する浮力によって気泡または気体が接続空間４３４に集まる。図１４に示すように、天井壁４０６は、流路空間４３１（図１６参照）から流路空間４３２（図１６参照）に向かって、水平方向から上方に傾斜している。これにより、接続空間４３４には、液面よりも上方に気体が溜められるような空間が形成される。
【０１１９】
図１７に示すように、細管４５５は、このような空間つまり接続空間４３４の上端部と導出路４５４とが互いに接続されるように、天井壁４０６と導出管４５２とに取り付けられている。気体流路４５６と導出路４５４との接続部分４５６ｂでは、接続空間４３４と気体流路４５６との接続部分４５６ａの圧力に対して負圧が発生する。そのため、接続空間４３４に蓄積された気体は、気体流路４５６を介して導出路４５４に吸い込まれる。導出路４５４に吸い込まれた気体は、液体とともに導出路４５４を流通する。
【０１２０】
なお、図１８と図１９とにおいて、図中の二重丸の記号は、液体が紙面の裏面から表面に向かって流れていることを示し、図中のＸ印を丸で囲った記号は、液体が紙面の表面から裏面に向かって流れていることを示すものである。
【０１２１】
なお、細管４５５のセル４００と導出管４５２とへの取付の態様は、特に限定されない。また、導出路４５４は、液体または気体の流れ方向に関して接続部分４５６ｂよりも下流側の部分の流路断面積が、接続部分４５６ｂよりも上流側の部分の流路断面積よりも小さいような部分を有していてもよい。
【０１２２】
以上のように、濁度測定装置４は、液体に含まれる気泡の影響を受けずに液体の濁度を正確に測定することができる。
【０１２３】
（第５実施形態）
以下では、第５実施形態に係る濁度測定装置５について説明する。なお、第１実施形態に係る濁度測定装置１と同様の構成については、説明を省略する。
【０１２４】
図２０に示すように、濁度測定装置５は、濁度測定用のセル５００と図示しない発光部と受光部とを備えている。濁度測定装置５は、対象の液体が溜められたセル５００に光を照射することにより、照射された光の透過光または散乱光の強度から対象の液体の濁度を検知するものである。
【０１２５】
濁度測定装置５は、セル５００の内部に、第１の流路空間と第２の流路空間を区画する壁と、第２の流路空間と第３の流路空間を区画する壁とを有していない。そのため、濁度測定装置５では、セル５００の内部において第１の流路空間と第２の流路空間と第３の流路空間とが一体である。
【０１２６】
第１の流路空間としての流路空間５３１は、略水平方向に延びるようにセル５００の内部の上部に配置されている。第３の流路空間としての流路空間５３３は、略水平方向に延びるようにセル５００の内部の下部に配置されている。第２の流路空間としての流路空間５３２は、セル５００の内部の上端から下端を略鉛直方向に延びている。セル５００は、流路空間５３１と流路空間５３２とを接続する接続空間５３４と、流路空間５３２と流路空間５３３とを接続する接続空間５３５とを有している。
【０１２７】
セル５００は、正面側に正面壁５０１を有し、且つ、背面側に背面壁５０２を有している。セル５００は、上面側に天井壁５０３を有し、且つ、底面として底面壁５０４を有している。セル５００の上部には、背面壁５０２から背面方（図２０の右方）に突出した突出部５１１が配置されている。また、セル５００の下部には、正面壁５０１から正面方（図２０の左方）に突出した突出部５１２が配置されている。
【０１２８】
これら突出部５１１の奥行きの寸法（図２０の左右方向の寸法）と突出部５１２の奥行きの寸法とは、特に限定されない。突出部５１１の奥行きの寸法と突出部５１２の奥行きの寸法とは、互いに同一でもよく、それぞれ異なっていてもよい。また、突出部５１１の幅の寸法（図２０の表裏方向の寸法）と突出部５１２の幅の寸法とは、特に限定されない。突出部５１１と突出部５１２とのそれぞれの幅の寸法は、正面壁５０１の幅の寸法（図２０の表裏方向の寸法）と同一でもよく、正面壁５０１の幅の寸法より大きくてもよく、または正面壁５０１の幅の寸法より小さくてもよい。
【０１２９】
なお、セル５００の上部とは、セル５００の上下方向（図２０の上下方向）に関して、中央よりも上方の部分のことである。セル５００の下部とは、セル５００の上下方向に関して、中央よりも下方の部分のことである。
【０１３０】
セル５００には、入口５４１と出口５４２とが形成されている。入口５４１は突出部５１１の底面壁５１３に形成された開口であり、出口５４２は突出部５１２の上面壁５１４に形成された開口である。導入管５５１と導出管５５２とは、セル５００に接続されている。導入管５５１は導入路５５３を形成している。導入路５５３を流通する液体は、入口５４１を介して流路空間５３１に流入する。導出管５５２は導出路５５４を形成している。出口５４２からセル５００の外部に流出した液体は、導出路５５４を流通する。
【０１３１】
セル５００の上下方向に関して、接続空間５３４はセル５００の内部の上端部５０ａに配置され、且つ、接続空間５３５はセル５００の内部の下端部５０ｂに配置されている。セル５００の内部の上端部５０ａとは、天井壁５０３の内面付近の空間のことである。一方、セル５００の内部の下端部５０ｂとは、底面壁５０４の内面付近の空間のことである。
【０１３２】
発光部は、セル５００の内部のうち流路空間５３２と接続空間５３５と流路空間５３３とのいずれかに向かって光を照射するものであればよい。一方、受光部は、液体に含まれる濁質によって散乱されない光を受光するものであってもよく、液体に含まれる濁質によって散乱された光を受光するものであってもよい。
【０１３３】
濁度測定装置５は、導出路５５４と接続空間５３４とを接続する細管５５５を備えている。細管５５５は、セル５００の天井壁５０３と導出管５５２とに接続されている。細管５５５の内部の断面積、つまり、気体流路５５６の流路断面積は、導出路５５４の流路断面積よりも小さい。
【０１３４】
導入路５５３から流路空間５３１に流入した液体に気泡が混入されている場合には、液体が流路空間５３１から流路空間５３２を流通する間に、気泡が有する浮力によって気泡または気体が接続空間５３４に集まる。細管３５５は、接続空間５３４の上端部と導出路５５４とが互いに接続されるように、天井壁５０３と導出管５５２とに取り付けられている。気体流路５５６と導出路５５４との接続部分５５６ｂでは、接続空間５３４と気体流路５５６との接続部分５５６ａの圧力に対して負圧が発生する。そのため、接続空間５３４に蓄積された気体は、気体流路５５６を介して導出路５５４に吸い込まれる。導出路５５４に吸い込まれた気体は、液体とともに導出路５５４を流通する。
【０１３５】
なお、細管５５５のセル５００と導出管５５２とへの取付の態様は、特に限定されない。また、導出路５５４は、液体または気体の流れ方向に関して接続部分５５６ｂよりも下流側の部分の流路断面積が、接続部分５５６ｂよりも上流側の部分の流路断面積よりも小さいような部分を有していてもよい。
【０１３６】
以上のように、濁度測定装置５は、液体に含まれる気泡の影響を受けずに液体の濁度を正確に測定することができる。
【０１３７】
（第６実施形態）
以下では、第６実施形態に係る濁度測定装置６について説明する。なお、第１実施形態に係る濁度測定装置１と第５実施形態に係る濁度測定装置５と同様の構成については、説明を省略する。
【０１３８】
図２１に示すように、濁度測定装置６は、濁度測定用のセル６００と図示しない発光部と受光部とを備えている。濁度測定装置６は、対象の液体が溜められたセル６００に光を照射することにより、照射された光の透過光または散乱光の強度から対象の液体の濁度を検知するものである。
【０１３９】
セル６００の上部には、背面壁６０２から背面方（図２１の右方）に突出した突出部６１１が配置されている。また、セル６００の下部には、正面壁６０１から正面方（図２１の左方）に突出した突出部６１２が配置されている。
【０１４０】
セル６００には、入口６４１と出口６４２とが形成されている。入口６４１は突出部６１１の背面壁６１５に形成された開口であり、出口６４２は突出部６１２の正面壁６１６に形成された開口である。導入管６５１は導入路６５３を形成している。導出管６５２は導出路６５４を形成している。
【０１４１】
セル６００は、第１の流路空間としての流路空間６３１と第２の流路空間としての流路空間６３２と第３の流路空間としての流路空間６３３とを有している。セル６００の上下方向に関して、接続空間６３４はセル６００の内部の上端部６０ａに配置され、且つ、接続空間６３５はセル６００の内部の下端部６０ｂに配置されている。セル６００の内部の上端部６０ａとは、天井壁６０３の内面付近の空間のことである。一方、セル６００の内部の下端部６０ｂとは、底面壁６０４の内面付近の空間のことである。
【０１４２】
発光部は、セル６００の内部のうち流路空間６３２と接続空間６３５と流路空間６３３とのいずれかに向かって光を照射するものであればよい。発光部は、セル６００の内部のうちの上端部６０ａを含む上部を除いた位置に向かって、光を照射することが好ましい。一方、受光部は、液体に含まれる濁質によって散乱されない光を受光するものであってもよく、液体に含まれる濁質によって散乱された光を受光するものであってもよい。
【０１４３】
濁度測定装置６は、導出路６５４と接続空間６３４とを接続する細管６５５を備えている。細管６５５の内部の断面積、つまり、気体流路６５６の流路断面積は、導出路６５４の流路断面積よりも小さい。気体流路６５６と導出路６５４との接続部分６５６ｂでは、接続空間６３４と気体流路６５６との接続部分６５６ａの圧力に対して負圧が発生する。そのため、接続空間６３４に蓄積された気体は、気体流路６５６を介して導出路６５４に吸い込まれる。
【０１４４】
（第７実施形態）
以下では、第７実施形態に係る濁度測定装置７について説明する。なお、第１実施形態に係る濁度測定装置１と第５実施形態に係る濁度測定装置５と同様の構成については、説明を省略する。
【０１４５】
図２２に示すように、濁度測定装置７は、濁度測定用のセル７００と図示しない発光部と受光部とを備えている。濁度測定装置７は、対象の液体が溜められたセル７００に光を照射することにより、照射された光の透過光または散乱光の強度から対象の液体の濁度を検知するものである。
【０１４６】
濁度測定装置７では、セル７００の内部において第１の流路空間と第２の流路空間と第３の流路空間とが一体である。また、第１の流路空間の一部は、導入路７５３の一部によって形成されている。すなわち、導入路７５３の一部は、第１の流路空間を兼ねている。また、第３の流路空間の一部は、導出路７５４の一部によって形成されている。すなわち、導出路７５４の一部は、第３の流路空間を兼ねている。
【０１４７】
第１の流路空間としての流路空間７３１は、セル７００の内部の上部に配置された部分のうち、少なくとも一部が略水平方向に延びた空間である。第３の流路空間としての流路空間７３３は、セル７００の内部の下部に配置された部分のうち、少なくとも一部が略水平方向に延びた空間である。第２の流路空間としての流路空間７４２は、セル７００の内部の上部から下部を略鉛直方向に延びている。セル７００は、流路空間７３１と流路空間７３２とを接続する接続空間７３４と、流路空間７３２と流路空間７３３とを接続する接続空間７３５とを有している。セル７００の上下方向に関して、接続空間７３４はセル７００の内部の上端部７０ａに配置され、且つ、接続空間７３５はセル７００の内部の下端部７０ｂに配置されている。
【０１４８】
セル７００は、正面側に正面壁７０１を有し、且つ、背面側に背面壁７０２を有している。セル７００は、上面側に天井壁７０３を有し、且つ、底面として底面壁７０４を有している。少なくとも流路空間７３２は、セル７００の奥行き方向（図２２の左右方向）に関して、正面壁７０１と背面壁７０２とに囲まれている。
【０１４９】
入口７４１は背面壁７０２に形成された開口であり、出口７４２は正面壁７０１に形成された開口である。導入管７５１は導入路７５３を形成している。導入路７５３を流通する液体は、入口７４１を介して流路空間７３１に流入する。導出管７５２は導出路７５４を形成している。出口７４２からセル７００の外部に流出した液体は、導出路７５４を流通する。
【０１５０】
発光部は、セル７００の内部のうち流路空間７３２と接続空間７３５と流路空間７３３とのいずれかに向かって光を照射するものであればよく、セル７００の内部のうちの上部を除いた位置に向かって光を照射するものであることが好ましい。受光部は、液体に含まれる濁質によって散乱されない光を受光するものであってもよく、液体に含まれる濁質によって散乱された光を受光するものであってもよい。
【０１５１】
導入路７５３から流路空間７３１に流入した液体に気泡が混入されている場合には、液体が流路空間７３１から流路空間７３２を流通する間に、気泡が有する浮力によって気泡または気体が接続空間７３４に集まる。細管７５５は、接続空間７３４の上端部と導出路７５４とが互いに接続されるように、天井壁７０３と導出管７５２とに取り付けられている。気体流路７５６と導出路７５４との接続部分７５６ｂでは、接続空間７３４と気体流路７５６との接続部分７５６ａの圧力に対して負圧が発生する。そのため、接続空間７３４に蓄積された気体は、気体流路７５６を介して導出路７５４に吸い込まれる。導出路７５４に吸い込まれた気体は、液体とともに導出路７５４を流通する。
【０１５２】
なお、細管７５５のセル７００と導出管７５２とへの取付の態様は、特に限定されない。また、導出路７５４は、液体または気体の流れ方向に関して接続部分７５６ｂよりも下流側の部分の流路断面積が、接続部分７５６ｂよりも上流側の部分の流路断面積よりも小さいような部分を有していてもよい。
【０１５３】
（第８実施形態）
以下では、第８実施形態に係る濁度測定装置８について説明する。以下に説明するように、濁度測定装置８は、発光部８２１がセル８００の内部のうちの流路空間８３３に向かって光を照射するものである。なお、第１実施形態に係る濁度測定装置１と同様の構成については、説明を省略する。
【０１５４】
図２３に示すように、濁度測定装置８は、濁度測定用のセル８００と発光部８２１と受光部８２２とを備えている。セル８００は、正面壁８０１と正面壁８０２とを有している。図２５に示すように、正面壁８０１と正面壁８０２と背面壁８０７とは、略鉛直方向に延びている。正面壁８０１の下端の縁と正面壁８０２の下端の縁とは、底面壁８１２の縁と底面壁８１１の縁と略一致している。天井壁８１０と天井壁８０８と底面壁８１１と底面壁８１２とは互いに略平行に延びている。図２４に示すように、天井壁８０９は、図２４の左右方向に対して傾斜している。
【０１５５】
図２４に示すように、セル８００には、入口８４１と出口８４２とが形成されている。セル８００の内部には、流路空間８３１と、流路空間８３２と、流路空間８３３と、流路空間８３１と流路空間８３２とを接続する接続空間８３４と、流路空間８３２と流路空間８３３とを接続する接続空間８３５とが形成されている。導入管８５１は導入路８５３を形成している。導入路８５３を流通する液体は、入口８４１を介して流路空間８３１に流入する。導出管８５２は導出路８５４を形成している。出口８４２からセル８００の外部に流出した液体は、導出路８５４を流通する。
【０１５６】
図２３〜図２５に示すように、第１の流路空間としての流路空間８３１は、天井壁８０９と底面壁８１２と側面壁８０５と区画壁８１３と正面壁８０１と背面壁８０７とに囲まれることにより、セル８００の内部に形成されている。第２の流路空間としての流路空間８３２は、天井壁８０９と底面壁８１２と区画壁８１３と区画壁８１４と正面壁８０１と背面壁８０７とに囲まれることにより、セル８００の内部に形成されている。
【０１５７】
第３の流路空間としての流路空間８３３は、天井壁８１０と、天井壁８０８と、底面壁８１１と、底面壁８１２と、区画壁８１４および側面壁８０３と、側面壁８０６と、正面壁８０２と、天井壁８０８の上方の正面壁８０１の一部と、背面壁８０７とに囲まれることにより、セル８００の内部に形成されている。つまり、流路空間８３３は、天井壁８１０と底面壁８１２と側面壁８０６の一部と区画壁８１４と背面壁８０７とに覆われる空間と、天井壁８０８と底面壁８１１と側面壁８０６の他の一部と側面壁８０３と正面壁８０２とに覆われる空間とを有している。流路空間８３３において、側面壁８０３と区画壁８１４とが一体であるか別体であるかにかかわらず、流路空間８３２と流路空間８３３とは、接続空間８３５のみによって互いに接続されている。
【０１５８】
図２４に示すように、濁度測定装置８は、導出路８５４と接続空間８３４とを接続する細管８５５を備えている。細管８５５の内部は、接続流路としての気体流路が形成されている。なお、濁度測定装置８の気体流路の図示は省略する。細管８５５の内部の断面積、つまり、気体流路の流路断面積は、導出路８５４の流路断面積よりも小さい。
【０１５９】
図２５に示すように、セル８００の上下方向に関して、接続空間８３４はセル８００の内部の上端部８０ａに配置され、且つ、接続空間８３５はセル８００の内部の下端部８０ｂに配置されている。接続空間８３４は、区画壁８１３の上端８１３ｅの上方と天井壁８０９の内面との間の空間を少なくとも含んでいる。一方、接続空間８３５は、区画壁８１４の下端８１４ｅの下方と底面壁８１２の内面との間の空間を少なくとも含んでいる。
【０１６０】
図２５に示すように、発光部８２１は、底面壁８１１の下方に配置されている。発光部８２１は、底面壁８１２の下方に配置されていてもよい。発光部８２１は、セル８００の内部のうち流路空間８３３（図２４参照）に向かって光を照射する。一方、受光部８２２は、天井壁８０８の上方に配置されている。受光部８２２と発光部８２１との配置は、互いに入れ替わっていてもよい。受光部８２２は、液体に含まれる濁質によって散乱されない光を受光する。
【０１６１】
発光部８２１は、セル８００の内部のうち流路空間８３３に向かって光を照射するものであればよく、且つ、受光部８２２は、発光部２２１が発する光が進行する方向と対向するように配置されていればよい。ただし、受光部８２２は、液体に含まれる濁質によって散乱された光を受光するものであってもよい。この場合には、発光部８２１は、受光部８２２の配置に応じて、セル８００の内部のうち流路空間８３２と接続空間８３５と流路空間８３３とのいずれかに向かって光を照射するものであればよい。
【０１６２】
（第９実施形態）
以下では、第９実施形態に係る濁度測定装置９について説明する。以下に説明するように、濁度測定装置９は、発光部９２１が流路空間９３２と流路空間９３３と接続空間９３５とのうちの少なくとも接続空間９３５に向かって光を照射するものである。なお、第１実施形態に係る濁度測定装置１と同様の構成については、説明を省略する。
【０１６３】
図２６に示すように、濁度測定装置９は、濁度測定用のセル９００と発光部９２１と受光部９２２とを備えている。セル９００は、正面壁９０１と正面壁９０２とを有している。図２８に示すように、正面壁９０１と正面壁９０２と背面壁９０７とは、略鉛直方向に延びている。正面壁９０１の下端の縁と正面壁９０２の下端の縁とは、底面壁９１２の縁と底面壁９１１の縁と略一致している。天井壁９１０と天井壁９０８と底面壁９１１と底面壁９１２とは互いに略平行に延びている。図２７に示すように、天井壁９０９は、図２７の左右方向に対して傾斜している。
【０１６４】
図２７に示すように、セル９００には、入口９４１と出口９４２とが形成されている。セル９００の内部には、流路空間９３１と、流路空間９３２と、流路空間９３３と、流路空間９３１と流路空間９３２とを接続する接続空間９３４と、流路空間９３２と流路空間９３３とを接続する接続空間９３５とが形成されている。導入管９５１は導入路９５３を形成している。導入路９５３を流通する液体は、入口９４１を介して流路空間９３１に流入する。導出管９５２は導出路９５４を形成している。出口９４２からセル９００の外部に流出した液体は、導出路９５４を流通する。
【０１６５】
図２６〜図２８に示すように、第１の流路空間としての流路空間９３１は、天井壁９０９と底面壁９１２と側面壁９０５と区画壁９１３と正面壁９０１と背面壁９０７とに囲まれることにより、セル９００の内部に形成されている。第２の流路空間としての流路空間９３２は、天井壁９０９と底面壁９１２と区画壁９１３と区画壁９１４と正面壁９０１と背面壁９０７とに囲まれた部分と、天井壁９０８と底面壁９１１と側面壁９０３と側面壁９０６と正面壁９０２と背面壁９０７とに囲まれた部分とを有している。
【０１６６】
第３の流路空間としての流路空間９３３は、天井壁９１０と底面壁９１２と側面壁９０６と区画壁９１４と正面壁９０１と背面壁９０７とに囲まれた部分と、天井壁９０８と底面壁９１１と側面壁９０３と側面壁９０６と正面壁９０２と背面壁９０７とに囲まれた部分とを有している。
【０１６７】
図２８に示すように、セル９００の上下方向に関して、接続空間９３４はセル９００の内部の上端部９０ａに配置され、且つ、接続空間９３５はセル９００の内部の下端部９０ｂに配置されている。接続空間９３４は、区画壁９１３の上端９１３ｅの上方と天井壁９０９の内面との間の空間を少なくとも含んでいる。一方、接続空間９３５は、区画壁９１４の下端９１４ｅの下方と底面壁９１２の内面との間の空間を少なくとも含んでいる。接続空間９３５は、セル９００の内部のうち、天井壁９０８と底面壁９１１および底面壁９１２と面壁９０３と側面壁９０６と正面壁９０２と背面壁９０７とに覆われる部分に形成される空間に配置されている。
【０１６８】
図２７に示すように、濁度測定装置９は、導出路９５４と接続空間９３４とを接続する細管９５５を備えている。細管９５５の内部は、接続流路としての気体流路が形成されている。なお、濁度測定装置９の気体流路の図示は省略する。細管９５５の内部の断面積、つまり、気体流路の流路断面積は、導出路９５４の流路断面積よりも小さい。
【０１６９】
図２７に示すように、発光部９２１は、側面壁９０３の右方に配置されている。一方、受光部９２２は、側面壁９０６の左方に配置されている。なお、発光部９２１は、底面壁９１１または底面壁９１２の下方に配置されていてもよい。受光部９２２は、天井壁９０８の上方に配置されていてもよい。発光部９２１は、流路空間９３２と流路空間９３３と接続空間９３５とのうちの少なくとも接続空間９３５に向かって光を照射するものであればよい。
【０１７０】
受光部９２２は、液体に含まれる濁質によって散乱されない光を受光する。受光部８２２は、発光部２２１が発する光が進行する方向と対向するように配置されていればよい。受光部９２２と発光部９２１との配置は、互いに入れ替わっていてもよい。
【０１７１】
受光部９２２は、液体に含まれる濁質によって散乱された光を受光するものであってもよい。この場合には、発光部９２１は、受光部９２２の配置に応じて、セル９００の内部のうち流路空間９３２と接続空間９３５と流路空間９３３とのいずれかに向かって光を照射するものであればよい。
【０１７２】
（第１０実施形態）
以下では、第１０実施形態に係る濁度測定装置１０について説明する。以下に説明するように、濁度測定装置１０は、発光部１０２１が流路空間１０３３と接続空間１０３５とに向かって光を照射するものである。なお、第１実施形態に係る濁度測定装置１と同様の構成については、説明を省略する。
【０１７３】
図２９に示すように、濁度測定装置１０は、濁度測定用のセル１０００と発光部１０２１と受光部１０２２とを備えている。
【０１７４】
図２９〜３１に示すように、セル１０００は、正面側に正面壁１００１を有し、背面側に背面壁１００７を有し、上面側に天井壁１００９と天井壁１０１０とを有し、一方の側面側に側面壁１００５を有し、他方の側面側に側面壁１００６を有し、且つ、下面側に底面壁１０１１を有している。図３１に示すように、正面壁１００１と背面壁１００７とは、略鉛直方向に延びている。正面壁１００１の下端の縁は、底面壁１０１１の縁と略一致している。天井壁１０１０と底面壁１０１１とは互いに略平行に延びている。図３０に示すように、天井壁１００９は、図３０の左右方向に対して傾斜している。
【０１７５】
図３０に示すように、セル１０００には、入口１０４１と出口１０４２とが形成されている。セル１０００の内部には、流路空間１０３１と、流路空間１０３２と、流路空間１０３３と、流路空間１０３１と流路空間１０３２とを接続する接続空間１０３４と、流路空間１０３２と流路空間１０３３とを接続する接続空間１０３５とが形成されている。導入管１０５１は導入路１０５３を形成している。導入路１０５３を流通する液体は、入口１０４１を介して流路空間１０３１に流入する。導出管１０５２は導出路１０５４を形成している。出口１０４２からセル１０００の外部に流出した液体は、導出路１０５４を流通する。
【０１７６】
図２９〜図３１に示すように、第１の流路空間としての流路空間１０３１は、天井壁１００９と底面壁１０１１と側面壁１００５と区画壁１０１３と正面壁１００１と背面壁１００７とに囲まれることにより、セル１０００の内部に形成されている。第２の流路空間としての流路空間１０３２は、天井壁１００９と底面壁１０１１と区画壁１０１３と区画壁１０１４と正面壁１００１と背面壁１００７とに囲まれることにより、セル１０００の内部に形成されている。第３の流路空間としての流路空間１０３３は、天井壁１０１０と底面壁１０１１と区画壁１０１４と側面壁１００６と正面壁１００１と背面壁１００７とに囲まれることにより、セル１０００の内部に形成されている。
【０１７７】
図３１に示すように、セル１０００の上下方向に関して、接続空間１０３４はセル１０００の内部の上端部１００ａに配置され、且つ、接続空間１０３５はセル１０００の内部の下端部１００ｂに配置されている。接続空間１０３４は、区画壁１０１３の上端１０１３ｅの上方と天井壁１００９の内面との間の空間を少なくとも含んでいる。一方、接続空間１０３５は、区画壁１０１４の下端１０１４ｅの下方と底面壁１０１２の内面との間の空間を少なくとも含んでいる。
【０１７８】
図３０に示すように、濁度測定装置１０は、導出路１０５４と接続空間１０３４とを接続する細管１０５５を備えている。細管１０５５の内部は、接続流路としての気体流路が形成されている。なお、濁度測定装置１０の気体流路の図示は省略する。細管１０５５の内部の断面積、つまり、気体流路の流路断面積は、導出路１０５４の流路断面積よりも小さい。
【０１７９】
図３０および３１に示すように、発光部１０２１は、底面壁１０１１の下方に配置されている。発光部１０２１は、セル１０００の内部のうち流路空間１０３３と接続空間１０３５とに向かって光を照射する。一方、受光部１０２２は、側面壁１００６の左方であって、発光部１０２１が発する光が進行する方向と対向するように配置されている。なお、受光部１０２２と発光部１０２１との配置は、互いに入れ替わっていてもよい。
【０１８０】
受光部１０２２は、液体に含まれる濁質によって散乱されない光を受光する。ただし、受光部１０２２は、液体に含まれる濁質によって散乱された光を受光するものであってもよい。この場合には、発光部１０２１は、受光部１０２２の配置に応じて、セル１０００の内部のうち流路空間１０３２と接続空間１０３５と流路空間１０３３とのいずれかに向かって光を照射するものであればよい。
【０１８１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１８２】
１，２，３，４，５，６，７，８，９，１０：濁度測定装置、１０ａ：（セルの内部の）上端部、１０ｂ：（セルの内部の）下端部、１００：セル、１２１：発光部、１２２：受光部、１３１：流路空間、１３２：流路空間、１３３：流路空間、１３４：接続空間、１３５：接続空間、１４１：入口、１４２：出口、１５１：導入管、１５２：導出管、１５３：導入路、１５４：導出路、１５５：細管、１５６：気体流路
【図１】
2012132750.tif 000003
【図２】
2012132750.tif 000004
【図３】
2012132750.tif 000005
【図４】
2012132750.tif 000006
【図５】
2012132750.tif 000007
【図６】
2012132750.tif 000008
【図７】
2012132750.tif 000009
【図８】
2012132750.tif 000010
【図９】
2012132750.tif 000011
【図１０】
2012132750.tif 000012
【図１１】
2012132750.tif 000013
【図１２】
2012132750.tif 000014
【図１３】
2012132750.tif 000015
【図１４】
2012132750.tif 000016
【図１５】
2012132750.tif 000017
【図１６】
2012132750.tif 000018
【図１７】
2012132750.tif 000019
【図１８】
2012132750.tif 000020
【図１９】
2012132750.tif 000021
【図２０】
2012132750.tif 000022
【図２１】
2012132750.tif 000023
【図２２】
2012132750.tif 000024
【図２３】
2012132750.tif 000025
【図２４】
2012132750.tif 000026
【図２５】
2012132750.tif 000027
【図２６】
2012132750.tif 000028
【図２７】
2012132750.tif 000029
【図２８】
2012132750.tif 000030
【図２９】
2012132750.tif 000031
【図３０】
2012132750.tif 000032
【図３１】
2012132750.tif 000033